(57)【要約】【課題】  加入者回線にファクシミリ装置と電話機とが接続される場合に、着呼した相手先ごとに最適な応答形態で応答できる利便性の高いファクシミリ装置を提供すること【解決手段】  着信に先立って検出された被通知発信番号を発信番号／着信時応答形態対応情報記憶手段と照合して対応する着信時応答形態を特定し、その特定した着信時応答形態で着信応答動作を行うことを特徴とする。【選択図】    図１
2005260528.tif 000002
【特許請求の範囲】
【請求項１】
公衆網の特定の加入者回線に接続されると共に併設の電話機を自装置を介して前記加入者回線に接続する一方、前記電話機による着信及び自装置による着信の相互の優先度に応じた複数の着信時応答形態に対応したファクシミリ装置において、
発信番号と前記複数の着信時応答形態のうちの特定の着信時応答形態とを対応付けた情報を予め設定・記憶する発信番号／着信時応答形態対応情報記憶手段と、
呼出信号による着信に先立って、前記公衆電話網が提供する発信番号通知サービスに基づいて、前記加入者回線を介して通知されてくる発信番号を被通知発信番号として検出する発信番号被通知手段と、
着信に先立って検出された前記被通知発信番号を前記発信番号／着信時応答形態対応情報記憶手段と照合して対応する着信時応答形態を特定し、その特定した着信時応答形態で着信応答動作を行う着信応答制御手段と
を備えたことを特徴とするファクシミリ装置。
【請求項２】
前記発信番号／着信時応答形態対応情報記憶手段は、複数の発信番号のそれぞれについて前記複数の着信時応答形態のうちの特定の着信時応答形態を対応付けた情報であることを特徴とする請求項１に記載のファクシミリ装置。
【請求項３】
前記着信応答制御手段は、前記着信応答制御動作の実際の実行結果に応じて当該着信に係る前記被通知発信番号に前記発信番号／着信時応答形態対応情報記憶手段において対応する着信時応答形態の変更が必要か否か、及び、必要な場合前記複数の着信時応答形態のうちのどの着信時応答形態に変更すべきかを決定し、その決定に応じて前記前記発信番号／着信時応答形態対応情報記憶手段の設定を自動変更することを特徴とする請求項１または２のいずれかに記載のファクシミリ装置。
【発明の詳細な説明】
【技術分野】
【０００１】
本発明は、通信装置の１つであるファクシミリ装置に関し、特に、公衆網の特定の加入者回線に接続されると共に併設の電話機を自装置を介して前記加入者回線に接続する一方、前記電話機による着信及び自装置による着信の相互の優先度に応じた複数の着信時応答形態に対応したファクシミリ装置に関する。
【背景技術】
【０００２】
公衆網の特定の加入者回線に接続された電話機やファクシミリ装置等の通信端末は、当該特定の加入者回線について公衆網の事業者側と所定の利用契約を行うことで、ダイヤルインサービス等の各種付加サービスを利用することができる。
【０００３】
それら付加サービスの１つとして発信番号通知サービスがある。これは、呼出信号による着信に先立って、加入者回線を収容する交換機と加入者回線上の通信端末との所定のやりとり、具体的には、極性反転、回線閉結、回線開放等の加入者回線の信号状態の変化に所定の意味を持たせてやりとりを行い、そのやりとりの中で発信番号（発信元の端末の加入者番号）の情報を含むモデム信号が、交換機から加入者回線を介して通信端末に通知され、その通信端末が、着信（呼出信号の到来）の前に発信番号を知って、その発信番号をディスプレイ表示したりするなどして利用できるようにするサービスである。
【０００４】
一方、公衆網の特定に加入者回線においては、通信端末としてファクシミリ装置が接続される場合、そのファクシミリ装置のみならず、そのファクシミリ装置を介して併設の電話機も加入者回線に接続されるのが一般的である。
【０００５】
その場合、着信時において、加入者回線がファクシミリ装置自身の通信機能側に接続されるか、または、併設の電話機側に接続されるかは、ファクシミリ装置における着信時応答形態の設定による。
【０００６】
ファクシミリ装置における着信時応答形態としては、例えば「電話モード」、「電話優先自動切換モード」、「ファクス優先自動切換モード」、「ファクス受信モード」がある。
【０００７】
「電話モード」は、具体的には、加入者回線を予め併設の電話機側に接続しておき、着信（呼出信号の到来）に電話機が応答（オフフック）した後、通常の通話であれば、電話機がオフフックされるまでそのままにするが、電話機がオフフック後に、ファクシミリの着信を示す発呼トーンＣＮＧを聞いたユーザにより、ファクシミリ装置本体側の「受信」キーの押下などの所定の操作入力があった場合には、加入者回線をファクシミリ装置の通信機能側に切り換えで、ファクシミリ通信を開始する着信時応答形態であり、電話機による通話の優先度が最も高いモードである。
【０００８】
「ファクス受信モード」は、具体的には、加入者回線を予めファクシミリ装置の通信機能側に接続しておき、着信（呼出信号）にファクシミリ装置自身が応答してファクシミリ通信を遅滞なく開始する着信時応答形態であり、ファクシミリ通信の優先度が最も高いモードである。逆にいえば、電話機による通話の優先度が最も低いモードである。
【０００９】
「電話優先自動切換モード」は、加入者回線を予め併設の電話機側に接続しておき、着信（呼出信号の到来）の後、一定時間電話機の応答（オフフック）の有無を監視して、一定時間内に応答（オフフック）があった場合は、電話機がオフフックされるまでそのままにするが、一定時間内に応答（オフフック）なかった場合には、ファクシミリ装置の通信機能側に加入者回線を切り換え接続して、ファクシミリ通信を開始する着信時応答形態であり、電話機による通話の優先度が「電話モード」の次に高いモードである。
【００１０】
「ファクス優先自動切換モード」は、加入者回線を予めファクシミリ装置の通信機能側に接続しておき、着信（呼出信号の到来）の後、一定時間電話機に対して疑似的な呼出信号を出力すると共に応答（オフフック）の有無を監視して、一定時間内に応答（オフフック）があった場合は、加入者回線を電話機側に切り換え接続した後、電話機がオフフックされるまでそのままにするが、疑似呼出信号に対して一定時間内に応答（オフフック）なかった場合には、予めファクシミリ装置の通信機能側に接続されている加入者回線を介したファクシミリ通信を開始する着信時応答形態であり、電話機による通話の優先度が「電話優先自動切換モード」の次に高いモードである。
【００１１】
公衆網を介した通信では、前述の発信番号通知サービスにより、発信番号を着信前に知ることはできるが、発信元が電話機またはファクシミリ装置のいずれであるかの情報までは得ることができない。
【００１２】
一方で、特定の加入者回線に接続されたファクシミリ装置やそれに併設されている電話機の通信／通話の相手となり得る、多数の発信側の通信端末の、発信側の加入者回線における接続形態としては、電話機のみが接続されてる場合、ファクシミリ装置のみが接続されている場合、または、電話機及びファクシミリ装置が共に接続されている場合がある。また、電話機及びファクシミリ装置が共に接続されている場合には、更に、発信側において、電話機またはファクシミリ装置のいずれを用いた通話／通信の頻度が、前記特定の加入者回線に接続されたファクシミリ装置やそれに併設されている電話機との関係において、高いかの違いもある。
【００１３】
そのような多数の発信側の加入者回線における多様な端末接続・利用形態に対応できるようにするために、電話機を併設したファクシミリ装置においては、着信時応答形態を、前記「電話モード」、「電話優先自動切換モード」、または、「ファクス優先自動切換モード」に設定して、発信側がファクシミリ装置であっても電話機であっても正しく応答できるようにしていた。しかし、本来は、ファクシミリ装置による通信のみしか行わない発信側からの着信においては、着信時応答形態は「ファクス受信モード」に設定されているべきものであり、電話機による通話のみしか行わない発信側からの着信においては、着信時応答形態は「電話モード」に設定されているべきでものある。
【００１４】
本願発明に関連する公知文献としては、特許文献１を挙げることができる。その特許文献１には、ＩＳＤＮのＳＥＴＵＰメッセージに含まれる各情報要素のうちの相手先装置の端末属性を判定するための各種情報要素に基づいて相手先装置の端末属性の判定を行い、その判定の結果、端末属性（ファクスか電話機か）が判定できなかった場合でも、相手先番号（発信番号）に対応して予め端末属性を登録しておくことで、相手先装置の端末属性を正確に判定できるように使用というものである。
【００１５】
【特許文献１】特開２０００−１３８７６９号公報
【発明の開示】
【発明が解決しようとする課題】
【００１６】
しかし、上記特許文献１に記載の技術は単に相手先装置の端末属性を相手先番号（発信番号）に基づいて判定しようとするものに過ぎない。
【００１７】
そのため、従来は、加入者回線にファクシミリ装置と電話機とが接続される場合に、上記複数の着信時応答形態のうちの特定の着信時応答形態が着信した相手先（発信番号）によらず、装置全体の設定として設定されていたため、最適な着呼時の応答形態が各相手先ごとに異なることに適切に対応することができず、出なくても済むはずの電話に出たり、聞かなくても済むはずの呼出音を聞いたり、しなくても済むはずの操作を強いられるなど、ユーザの利便性が大きく損なわれてしまうという問題点があった。
【００１８】
本発明は係る事情に鑑みてなされたものであり、加入者回線にファクシミリ装置と電話機とが接続される場合に、着呼した相手先ごとに最適な応答形態で応答できる利便性の高いファクシミリ装置を提供することを目的とする。
【課題を解決するための手段】
【００１９】
請求項１に記載のファクシミリ装置は、公衆網の特定の加入者回線に接続されると共に併設の電話機を自装置を介して前記加入者回線に接続する一方、前記電話機による着信及び自装置による着信の相互の優先度に応じた複数の着信時応答形態に対応したファクシミリ装置において、発信番号と前記複数の着信時応答形態のうちの特定の着信時応答形態とを対応付けた情報を予め設定・記憶する発信番号／着信時応答形態対応情報記憶手段と、呼出信号による着信に先立って、前記公衆電話網が提供する発信番号通知サービスに基づいて、前記加入者回線を介して通知されてくる発信番号を被通知発信番号として検出する発信番号被通知手段と、着信に先立って検出された前記被通知発信番号を前記発信番号／着信時応答形態対応情報記憶手段と照合して対応する着信時応答形態を特定し、その特定した着信時応答形態で着信応答動作を行う着信応答制御手段とを備えたことを特徴とする。
【００２０】
請求項２に記載のファクシミリ装置は、請求項１に記載のファクシミリ装置において、前記発信番号／着信時応答形態対応情報記憶手段は、複数の発信番号のそれぞれについて前記複数の着信時応答形態のうちの特定の着信時応答形態を対応付けた情報であることを特徴とする。
【００２１】
請求項３に記載のファクシミリ装置は、請求項１または２のいずれかに記載のファクシミリ装置において、前記着信応答制御手段は、前記着信応答制御動作の実際の実行結果に応じて当該着信に係る前記被通知発信番号に前記発信番号／着信時応答形態対応情報記憶手段において対応する着信時応答形態の変更が必要か否か、及び、必要な場合前記複数の着信時応答形態のうちのどの着信時応答形態に変更すべきかを決定し、その決定に応じて前記前記発信番号／着信時応答形態対応情報記憶手段の設定を自動変更することを特徴とする。
【発明の効果】
【００２２】
請求項１に係る発明によれば、着信に先立って通知される発信番号により特定される相手先に最適な形態で着信応答できるため、当該相手先からの着信において無駄な着信応答動作をすることなしに即座に応答することが可能となる効果が得られる。
【００２３】
請求項２に係る発明によれば、複数の発信番号のそれぞれにより特定される複数の相手先について最適な着信時応答形態を設定できるため、複数の発信番号により特定される相手先のそれぞれについて最適な形態で着信応答でき、各相手先からの着信において無駄な着信応答動作をすることなしに即座に応答することが可能となる効果が得られる。
【００２４】
請求項３に係る発明によれば、発信番号により特定される相手先における回線の使用形態の変化に柔軟に対応して、当該発信番号により特定される相手先について常に最適な着信時応答形態で着信応答することが可能となる効果が得られる。
【発明を実施するための最良の形態】
【００２５】
以下、添付図面を参照しながら、本発明を実施するための最良の形態について説明する
【００２６】
図１に、本発明の一実施例に係るファクシミリ装置１のブロック構成について示す。
【００２７】
同図において、ＣＰＵ２は、ＲＡＭ４を作業領域として使用しつつ、ＲＯＭ３に書き込まれた制御プログラムに基づいて装置各部を制御したり、各種データ処理をしたり、プロトコル制御を行う中央演算処理装置である。
【００２８】
ＲＯＭ３は、ＣＰＵ２が装置各部を制御するための制御プログラムや、各文字コードに対応するフォントデータなどの制御に必要な各種データが記憶されるリードオンリメモリである。
【００２９】
ＲＡＭ４は、前述したようにＣＰＵ２の作業領域として使用されるランダムアクセスメモリである。
【００３０】
ＥＥＰＲＯＭ（電気的に書き換え可能な読み出し専用メモリ）５は、装置動作に必要な各種情報が記憶されると共に、装置の電源がオフされた状態でもその記憶内容を保持するためのメモリであり、バッテリバックアップされたＳＲＡＭ（スタティックＲＡＭ）や磁気ディスク装置への置き換えも可能である。
【００３１】
時計回路６は、現在の日付及び時刻を常に計時しているもので、ＣＰＵ２は、システムバス１４を介して時計回路６を読み出すことで、現在の日時（日付と時刻）を知ることができる。
【００３２】
操作表示部７は、ユーザからの操作入力を受け入れるための各種キーが配設される一方、液晶表示装置等の表示器を備え、ユーザに知らせるべき装置の動作状態や、各種メッセージを表示するものである。
【００３３】
読取部８は、セットされた原稿を読み取って文書画像データを得るためのものである。書込部９は、画像データを記録紙に印刷出力するためのものである。
【００３４】
画像処理部１０は、生の画像データの符号化圧縮、及び、符号化された圧縮データの復号伸張の符号化復号化処理や、２値化処理、変倍処理、縮小拡大処理、画像補正処理、送信日時や受信日時の文字列情報などの付加情報の付加処理などの、ファクシミリ装置１において扱う画像データに関する各種画像処理を行うものである。
【００３５】
モデム１１は、網制御装置１２を介し、更に、加入者回線Ｌを介し、加入者交換機２００ａにより公衆網２００と接続され、公衆網２００上の相手通信端末との間で変調信号のやりとりを行う。つまり、モデム１１は、相手通信端末より受信した受信データ（変調されている）を復調したり、逆に、送信データを変調し送信したりする。具体的には、ＩＴＵ−Ｔ勧告Ｔ．３０に基づくＧ３ファクシミリ制御信号をやりとりするための低速モデム機能能（Ｖ．２１モデム）、及び、主に文書画像データをやりとりするための高速モデム機能である、Ｖ．１７、Ｖ．３３、Ｖ．３４、Ｖ．２９、Ｖ．２７ｔｅｒの各モデム機能を備えている。また、モデム１１は、発信番号通知サービスに基づき、発信番号の情報を含む信号として加入者交換機２００ａから加入者回線Ｌを介して受信するモデム信号（Ｖ．２３信号）を復調して発信番号の情報を検出・取得する機能を備える。その機能は、発信番号被通知手段に相当する。
【００３６】
網制御装置１２は、公衆網２００の末端の加入者交換機２００ａに、加入者回線Ｌを介して接続され、回線Ｌの閉結／開放や、呼び出し信号（リンギング）の検出、回線Ｌの閉結（オフフック）／開放（オンフック）の状態検出、回線Ｌの極性反転の検出などをおこなう。
【００３７】
また、網制御装置１２は、加入者回線Ｌをファクシミリ装置１の通信機能側と、電話機３００とのいずれか一方に切り換え接続するリレー回路を備えている。また、回線Ｌに接続されていない状態の電話機３００のオンフック／オフフック状態の検出を行う。また、回線Ｌに接続されていない状態の電話機３００に対して回線Ｌを介して受信する呼出信号（１６Ｈｚ）と同様の信号を疑似呼出信号として出力する機能を備える。
【００３８】
システムバス１３は、上記各部がデータをやり取りするためのデータバス・アドレスバス・制御バス、割り込み信号ラインなどにより構成される信号ラインである。
【００３９】
以上の構成でファクシミリ装置１が接続される回線Ｌについては、予め公衆網２００の回線事業者との間で発信番号通知サービス利用の契約を結んでおり、回線Ｌを介した着信（呼出信号の到来）時には、その着信（呼出信号の到来）に先だって、所定の発信番号通知サービスに基づくやりとりにより、発信番号を含むモデム信号を交換機２００ａから受信することになる。
【００４０】
図２に、ファクシミリ装置１のＲＡＭ４の本発明に特徴的な記憶内容について示す。
【００４１】
同図において、ＲＡＭ４の記憶領域４ａは、被通知発信番号記憶部となる記憶領域である。被通知発信番号とは、詳細は後述するが、着信に先立って、発信番号通知サービスに基づき通知されてきた発信番号であり、被通知発信番号記憶部４ａは、その通知されてきた発信番号を一時記憶する。
【００４２】
図３に、ファクシミリ装置１のＥＥＰＲＯＭ３の本発明に特徴的な記憶内容について示す。
【００４３】
同図において、ＥＥＰＲＯＭ３の記憶領域５ａは、発信番号／着信時応答形態対応テーブルを設定・記憶するための記憶領域である。記憶領域５ａは、発信番号／着信時応答形態対応情報記憶手段に相当する。
【００４４】
テーブル５ａは、番号０から始まる「管理番号」のそれぞれに対応した「発信番号」及び「着信時応答形態識別番号」の各フィールドにより構成されるレコードの集合として構成されている。
【００４５】
「発信番号」は、発信番号通知サービスにより着信（呼出信号の到来）に先立って通知される被通知発信番号と比較されるべき情報である（詳細後述）。
【００４６】
「着信時応答形態識別番号」は、「発信番号」に対応して登録される着信時応答形態を識別するための番号であり、具体的には、番号「１」は「電話モード」を示し、番号「２」は「電話優先自動切換モード」を示し、番号「３」は「ファクス優先自動切換モード」を示し、番号「４」は、「ファクス受信モード」を示す。
【００４７】
「電話モード」は、具体的には、加入者回線を予め併設の電話機側に接続しておき、着信（呼出信号の到来）に電話機が応答（オフフック）した後、通常の通話であれば、電話機がオフフックされるまでそのままにするが、電話機がオフフック後に、ファクシミリの着信を示す発呼トーンＣＮＧを聞いたユーザによわり、ファクシミリ装置本体側の「受信」キーの押下などの所定の操作入力があった場合には、加入者回線をファクシミリ装置の通信機能側に切り換えで、ファクシミリ通信を開始する着信時応答形態であり、電話機による通話の優先度が最も高いモードである。
【００４８】
「ファクス受信モード」は、具体的には、加入者回線を予めファクシミリ装置の通信機能側に接続しておき、着信（呼出信号）にファクシミリ装置自身が応答してファクシミリ通信を遅滞なく開始する着信時応答形態であり、ファクシミリ通信の優先度が最も高いモードである。逆にいえば、電話機による通話の優先度が最も低いモードである。
【００４９】
「電話優先自動切換モード」は、具体的には、加入者回線を予め併設の電話機側に接続しておき、着信（呼出信号の到来）の後、一定時間電話機の応答（オフフック）の有無を監視して、一定時間内に応答（オフフック）があった場合は、電話機がオフフックされるまでそのままにするが、一定時間内に応答（オフフック）なかった場合には、ファクシミリ装置の通信機能側に加入者回線を切り換え接続して、ファクシミリ通信を開始する着信時応答形態であり、電話機による通話の優先度が「電話モード」の次に高いモードである。
【００５０】
「ファクス優先自動切換モード」は、具体的には、加入者回線を予めファクシミリ装置の通信機能側に接続しておき、着信（呼出信号の到来）の後、一定時間電話機に対して疑似的な呼出信号を出力すると共に応答（オフフック）の有無を監視して、一定時間内に応答（オフフック）があった場合は、加入者回線を電話機側に切り換え接続した後、電話機がオフフックされるまでそのままにするが、疑似呼出信号に対して一定時間内に応答（オフフック）なかった場合には、予めファクシミリ装置の通信機能側に接続されている加入者回線を介したファクシミリ通信を開始する着信時応答形態であり、電話機による通話の優先度が「電話優先自動切換モード」の次に高いモードである。
【００５１】
テーブル５ａにおいて、管理番号「１，２，…」に対応する「発信番号」及び「着信時応答形態識別番号」は、予め設定・記憶されるものであり、具体的には、各発信番号に対応する通信／通話相手先の加入者回線における通信端末の接続形態を把握しているユーザやサービスマンなどにより操作表示部７を介した対話操作により予め設定・記憶されるものである。なお、管理番号「１，２，…」に対応する「発信番号」及び「着信時応答形態識別番号」の登録形態としては、サービスセンターからの特別な通信プロトコルによるやりとりによる遠隔登録や、読取部８により読み取った登録シートの画像認識による登録等のその他の登録形態であってもよく、要するに、テーブル５ａの管理番号「１，２，…」に対応する「発信番号」及び「着信時応答形態識別番号」の登録形態により本発明は限定されるものではない。また、テーブル５ａに登録する「発信番号」及び「着信時応答形態識別番号」は、１件のみでもよいが、複数件登録することで多数の相手先のそれぞれについて適切な着信時応答形態を登録できる利点がある。
【００５２】
管理番号「０」は、特別な管理番号であり、管理番号「１，２，…」に対応して登録されていない、つまり、テーブル５ａに明示的に登録されていない発信番号（に対応する相手先）についての「着信時応答形態識別番号」を登録するものであり、図においては、値「１（電話モード）」が設定されている。これにより、テーブル５ａに登録されていない、既知だが未登録の相手先や、未知の相手先からの着信にも支障なく対応できる（詳細後述）。
【００５３】
図４に、以上の構成でのファクシミリ装置１における着信応答処理手順について示す。この着信応答処理手順は着信応答制御手段に相当する。
【００５４】
同図において、先ず、回線Ｌを自機（の通信機能）側に接続する（処理Ｓ１０１）。そして、発信番号通知サービスに基づく情報受信端末起動信号（極性反転）の受信を監視する（処理Ｓ１０２、判断Ｓ１０３のＮｏのループ）。
【００５５】
情報受信端末起動信号が受信されると（判断Ｓ１０３のＹｅｓ）、回線Ｌを閉結して（直流ループを形成して）、応答する（処理Ｓ１０４）。その応答に対して、交換機２００ａは、通信前情報（Ｖ．２３信号）を送信してくるため、それを受信する（処理Ｓ１０５）。その通信前情報には、発信番号が含まれるため、その発信番号を検出・取得して被通知発信番号として図２の記憶領域４ａに一時記憶する（処理Ｓ１０６）。そして、受信完了信号の送出として回線開放して（処理Ｓ１０７）、発信番号通知に関するやりとりを完了した後、処理Ｓ１０６で記憶した被通知発信番号を、図３のテーブル５ａと照合して同一の「発信番号」が登録されているか否か、及び、登録されている場合には、その「管理番号」を確認する（判断Ｓ１０９）。
【００５６】
判断Ｓ１０９において、登録されている場合には（判断Ｓ１０９のＹｅｓ）、対応する「着信時応答形態識別番号」を変数Ｎｒの値として取得した上で（処理Ｓ１１１）、処理Ｓ１１２に移行する。登録されていない場合には（判断Ｓ１０９のＮｏ）、「管理番号０」に対応する「着信時応答形態識別番号」を変数Ｎｒの値として取得した上で（処理Ｓ１１０）、処理Ｓ１１２に移行する。
【００５７】
処理Ｓ１１２では、処理Ｓ１１０または処理１１１で取得した「着信時応答形態識別番号」に対応する「管理番号」を変数Ｎｋの値として記憶する（処理Ｓ１１２）。そして、フラグＦmodeとして、変数Ｎｒの値を設定する（処理Ｓ１１３）。  処理Ｓ１１３の後は、図５の判断Ｓ１１４に移行する。
【００５８】
判断Ｓ１１４では、発信番号通知サービスに基づくやりとりの完了後に到来するはずの呼出信号が検出されるまで待つ（判断Ｓ１１４のＮｏのループ）。そして、呼出信号が検出されると、つまり、着信が検出されると（判断Ｓ１１４のＹｅｓ）、処理Ｓ１１３で設定したＦmodeの値が値「１」ないし「４」のいずれであるかを確認する。
【００５９】
値「１」である場合には「電話モード」着信処理を行い（処理Ｓ１１６）、図４の処理Ｓ１０２に移行する。つまり、発信番号被通知監視に戻る。「電話モード」の具体的な動作は前述した通りである。
【００６０】
値「２」である場合には「電話優先自動切換モード」着信処理を行い（処理Ｓ１１７）、図４の処理Ｓ１０２に移行する。つまり、発信番号被通知監視に戻る。「電話優先自動切換モード」の具体的な動作は前述した通りである。
【００６１】
値「３」である場合には「ファクス優先自動切換モード」着信処理を行い（処理Ｓ１１８）、図４の処理Ｓ１０２に移行する。つまり、発信番号被通知監視に戻る。「ファクス優先自動切換モード」の具体的な動作は前述した通りである。
【００６２】
値「４」である場合には「ファクス受信モード」着信処理を行い（処理Ｓ１１６）、図４の処理Ｓ１０２に移行する。つまり、発信番号被通知監視に戻る。「ファクス受信モード」の具体的な動作は前述した通りである。
【００６３】
このように、各発信番号（に対応する相手先の加入者回線における通信端末の使用状況）に合わせて最適な着信時応答形態が自動的に選択されて実行されるため、ユーザにとっては、無駄な電話に出ることもなく、無駄な呼出音に煩われることもなく、無駄な操作を強いられることもなく、回線Ｌに接続されたファクシミリ装置１と電話機３００とを利便性高く利用することが可能となる。
【００６４】
以上の説明では図３のテーブル５ａの登録内容は予め設定されたまま固定されていたが、テーブル５ａの登録内容を実際の着信処理における状況に応じて動的に書き替えるようにすることで、更に利便性を高めることもできる。
【００６５】
具体的には、図５の処理Ｓ１１６の「電話モード」着信処理として、図６の処理手順を適用する。
【００６６】
図６において、先ず、図４の処理Ｓ１０１により自装置の通信機能側の接続されていた回線Ｌを、電話機３００側に接続する（処理Ｓ２０１）。
【００６７】
そして、回線Ｌ上の呼出信号が停止するか、または、電話機３００がオフフックされるまで待つ（判断Ｓ２０２のＮｏ、判断Ｓ２０３のＮｏのループ）。そして電話機３００がオフフックされることなく（ユーザが電話に出ることなく）、呼出信号が停止してしまった場合には（判断Ｓ２０２のＹｅｓ）、処理Ｓ２０１で電話機３００側に切り換えていた回線Ｌの接続を自機側に戻して（処理Ｓ２０７）、処理を終了する。
【００６８】
呼出信号の停止前に電話機３００がオフフックされた場合には（判断Ｓ２０３のＹｅｓ）、操作表示部７の「受信」キー（図示せず）が押下されるか、または電話機がオフフックされるまで待つ（判断Ｓ２０４のＮｏ、判断Ｓ２０５のＮｏのループ）。なお、「受信」キーは、電話機３００側からファクシミリ装置１側に回線Ｌを切り換え接続してファクシミリ受信を開始することをファクシミリ装置１に指示するためのキーである。
【００６９】
「受信」キーが押下されることなく、電話機３００がオンフック（ユーザの通話が終了）された場合には（判断Ｓ２０８のＹｅｓ）、今回の被通知発信番号（により特定される相手先）についての着信時応答形態が「電話モード」であることが、ユーザの利にかなっていることなるため、特になにもしないで、回線Ｌを電話機３００から自機側に切り換え接続して（処理Ｓ２０６）、処理を終了する。
【００７０】
電話機がオンフックされることなく、「受信」キーが押下された場合には（判断Ｓ２０４のＹｅｓ）、回線Ｌを電話機３００から自機側に切り換え接続して（処理Ｓ２０８）、回線Ｌを閉結して直流ループを形成した状態にして（処理Ｓ２０９）、ＩＴＵ−Ｔ勧告Ｔ．３０に基づく制御信号のやりとりによるファクシミリ受信処理を行い（処理Ｓ２１０）、それが終了すると処理Ｓ２０９で閉結していた回線Ｌを開放する（処理Ｓ２１１）。
【００７１】
判断Ｓ２０４がＹｅｓとなるのは、「受信」キーが押下されたときであり、「受信」キーが押下は、今回の通信相手先（被通知発信番号により特定される）からの着呼については、「ファクス受信」すべきであるとのユーザの意思表示と解釈することもできる。つまり、図３のテーブル５ａを操作表示部７を介した対話操作により設定するときの、各「発信番号」についての「着信時応答形態識別番号」の指定の際の意思表示と類似したものと見ることができる。
【００７２】
そこで、処理Ｓ２１１の後、図４の処理Ｓ１１２で記憶していた、今回の被通知発信番号に対応する「管理番号」であるＮｋに図３のテーブル５ａにおいて対応する「着信時応答形態識別番号」を「４」に書き換え変更して（処理Ｓ２１２）、処理を終了する。
【００７３】
これにより、今回の被通知発信番号に対応する相手先からの次回の着信時には、「ファクス受信モード」の着信処理が実行される。
【００７４】
したがって、テーブル５ａの登録ミスや、登録後の相手先側の加入者回線での通信端末の接続状態が変更に起因して、最適な着信時応答形態に着信に応答できなかった場合でも、ユーザがテーブル５ａの登録モードを明示的に起動して登録操作を行わなくても、被通知発信番号により特定される相手先に最適なモードが着信時応答形態として動的に設定されるため、ユーザにとってはテーブル５ａの登録管理の手間を省くことができる。
【００７５】
また、図５の処理Ｓ１１８の「ファクス優先自動切換モード」着信処理として、図７及び図８の処理手順を適用することもできる。
【００７６】
先ず、図７において、図４の処理Ｓ１０１により自装置の通信機能側の接続されていた回線Ｌを閉結すると共に（処理Ｓ３０１）、回線Ｌと切り離されているが、自装置の網制御装置１２に接続されてるい電話機３００に対して疑似呼出信号の送出を開始する（処理Ｓ３０２）。
【００７７】
そして、電話機３００のオフフック、回線Ｌからのファクシミリ通信の着信を示す発呼トーンＣＮＧの検出、及び、処理Ｓ３０２で疑似呼出信号の送出を開始してから一定時間が経過した（タイムアウト）かの監視を行う（判断Ｓ３０３のＮｏ、判断Ｓ３０４のＮｏ、判断Ｓ３０５のＮｏのループ）。
【００７８】
そして、タイムアウトした場合には（判断Ｓ３０５のＹｅｓ）、つまり、今回の着信がファクシミリ通信に係るものではなく、通話に係る着信であった可能性が高いがユーザは電話機３００をオフフックしなかった場合には、今回の被通知発信番号について「着信時応答形態」を「電話モード」にするようにすることも考えられるが、本処理手順においてはそれはせず、処理Ｓ３０２で開始した電話機３００への疑似呼出信号の送出を停止して（処理Ｓ３０６）、処理Ｓ３０１で閉結した回線Ｌを開放して（処理Ｓ３０７）、処理を終了する。
【００７９】
判断Ｓ３０３において、電話機３００がオフフックされた場合には（判断Ｓ３０３のＹｅｓ）、図８の処理Ｓ３０８に移行する。
【００８０】
処理Ｓ３０８では、回線Ｌを電話機３００側に切り換え接続し（処理Ｓ３０８）、操作表示部７の「受信」キー（図示せず）が押下されるか、または電話機がオフフックされるまで待つ（判断Ｓ３０９のＮｏ、判断Ｓ３１０のＮｏのループ）。なお、「受信」キーは、電話機３００側からファクシミリ装置１側に回線Ｌを切り換え接続してファクシミリ受信を開始することをファクシミリ装置１に指示するためのキーである。
【００８１】
「受信」キーが押下されることなく、電話機３００がオンフック（ユーザの通話が終了）された場合には（判断Ｓ３１０のＹｅｓ）、回線を自機側に接続すると共に（処理Ｓ３１１）、今回の被通知発信番号（により特定される相手先）についての着信時応答形態が「電話モード」であることが、ユーザの利にかなっていることなるため、図４の処理Ｓ１１２で記憶していた、今回の被通知発信番号に対応する「管理番号」であるＮｋに図３のテーブル５ａにおいて対応する「着信時応答形態識別番号」を「１」に書き換え変更して（処理Ｓ３１２）、処理を終了する。
【００８２】
れにより、今回の被通知発信番号に対応する相手先からの次回の着信時には、「電話モード」の着信処理が実行される。
【００８３】
電話機がオンフックされることなく、「受信」キーが押下された場合には（判断Ｓ３０９のＹｅｓ）、回線Ｌを電話機３００から自機側に切り換え接続して（処理Ｓ３１３）、回線Ｌを閉結して直流ループを形成した状態にして（処理Ｓ３１４）、ＩＴＵ−Ｔ勧告Ｔ．３０に基づく制御信号のやりとりによるファクシミリ受信処理を行い（処理Ｓ３１５）、それが終了すると処理Ｓ３１４で閉結していた回線Ｌを開放する（処理Ｓ３１６）。
【００８４】
判断Ｓ３０９がＹｅｓとなるのは、「受信」キーが押下されたときであり、「受信」キーが押下は、今回の通信相手先（被通知発信番号により特定される）からの着呼については、「ファクス受信」すべきであるとのユーザの意思表示と解釈することもできる。つまり、図３のテーブル５ａを操作表示部７を介した対話操作により設定するときの、各「発信番号」についての「着信時応答形態識別番号」の指定の際の意思表示と類似したものと見ることができる。
【００８５】
そこで、処理Ｓ３１６の後、図４の処理Ｓ１１２で記憶していた、今回の被通知発信番号に対応する「管理番号」であるＮｋに図３のテーブル５ａにおいて対応する「着信時応答形態識別番号」を「４」に書き換え変更して（処理Ｓ３１７）、処理を終了する。
【００８６】
これにより、今回の被通知発信番号に対応する相手先からの次回の着信時には、「ファクス受信モード」の着信処理が実行される。
【００８７】
したがって、テーブル５ａの登録ミスや、登録後の相手先側の加入者回線での通信端末の接続状態が変更に起因して、最適な着信時応答形態に着信に応答できなかった場合でも、ユーザがテーブル５ａの登録モードを明示的に起動して登録操作を行わなくても、被通知発信番号により特定される相手先に最適なモードが着信時応答形態として動的に設定されるため、ユーザにとってはテーブル５ａの登録管理の手間を省くことができる。
【００８８】
なお、図６の処理Ｓ２１２、図８の処理３１２、または、図８の処理Ｓ３１７における「着信時応答形態識別番号」の自動設定動作は、図４の処理Ｓ１１２で記憶した「管理番号」が「０」の場合、つまり、今回の被通知発信番号がテーブル５ａに予め登録されていない場合には行わない。
【００８９】
また、図６の処理Ｓ２１２、図８の処理３１２、または、図８の処理Ｓ３１７における「着信時応答形態識別番号」の自動設定動作では、図３のテーブル５ａに「発信番号」が予め登録されている相手先について行うようにしているが、図３のテーブル５ａに「発信番号」が予め登録されていない未知の相手先からである場合、テーブル５ａにおいて空いている「管理番号」に今回の被通知発信番号を「発信番号」とし、図６の処理Ｓ２１２、図８の処理３１２、または、図８の処理Ｓ３１７における「着信時応答形態識別番号」の自動設定動作で設定すべき番号を「着信時応答形態識別番号」として自動登録することも考えられる。その場合、テーブル５ａに明示的に登録していない未知の相手先について、持統的に最適な「着信時応答形態」が自動設定されるため、装置の利便性をいっそう高めることがてきる。また、その自動登録のモードを有効無効を示すフラグの値を、ユーザの所望するところに応じて任意に設定できるようにして、その設定に応じて、当該自動登録を行うか、または、行わないようにすることも考えられる。また、図６の処理Ｓ２１２、図８の処理３１２、または、図８の処理Ｓ３１７における「着信時応答形態識別番号」の自動設定動作についても、フラグで有効無効を設定して、ユーザの所望するところに応じることができるようにしてもよい。
【００９０】
また、図６の「電話モード」着信処理や、図７及び図８の「ファクス優先自動切換モード」着信処理と同様の「着信時応答形態識別番号」の自動設定動作は、「電話優先自動切換モード」や、「ファクス受信モード」についても同様に適用できるのは明らかである。
【００９１】
具体的には、つまり、「ファクス受信モード」において、発呼トーンＣＮＧを検出でなかった場合には、今回の被通知発信番号の相手先は「電話」であると見なして「着信時応答形態識別番号」を「１」に書き換え設定するようにすることができる。また、「電話優先自動切換モード」においても、発呼トーンＣＮＧを検出でなかった場合には、今回の被通知発信番号の相手先は「電話」であると見なして「着信時応答形態識別番号」を「１」に書き換え設定するようにすることができ、「受信」キーでファクシミリ受信が指示された場合には「４」に書き換え設定するようにすることができる。
【００９２】
このように、本実施例によれば、各「発信番号」により特定される各相手先ごとに最適な着信時応答形態で応答でき、ユーザの利便性を大幅に向上することがでぎる。
【００９３】
なお、以上本発明を実施するための最良の形態について説明したが、本発明は上記のものに限定されるものではなく、その要旨を逸脱しない範囲で種々変更可能であることはいうまでもない。
【図面の簡単な説明】
【００９４】
【図１】本発明の一実施例に係るファクシミリ装置のブロック構成について示す図である。
【図２】本発明の一実施例に係るファクシミリ装置のＲＡＭの記憶内容について示す図である。
【図３】本発明の一実施例に係るファクシミリ装置のＥＥＰＲＯＭの記憶内容について示す図である。
【図４】本発明の一実施例に係るファクシミリ装置における着信応答処理手順について示すフローチャートである。
【図５】図４と共に、本発明の一実施例に係るファクシミリ装置における着信応答制御処理手順について示すフローチャートである。
【図６】「電話モード」着信処理の具体的な処理手順について示すフローチャートである。
【図７】「ファクス優先自動切換モード」着信処理の具体的な処理手順について示すフローチャートである。
【図８】図８と共に、「ファクス優先自動切換モード」着信処理の具体的な処理手順について示すフローチャートである。
【符号の説明】
【００９５】
１  ファクシミリ装置
２  ＣＰＵ
３  ＲＯＭ
４  ＲＡＭ
５  ＥＥＰＲＯＭ
６  時計回路
７  操作表示部
８  読取部
９  書込部
１０  画像処理部
１１  モデム
１２  網制御装置
１３  システムバス
２００  公衆網
２００ａ  交換機
３００  電話機
Ｌ  回線
【図１】
2005260528.tif 000003
【図２】
2005260528.tif 000004
【図３】
2005260528.tif 000005
【図４】
2005260528.tif 000006
【図５】
2005260528.tif 000007
【図６】
2005260528.tif 000008
【図７】
2005260528.tif 000009
【図８】
2005260528.tif 000010